(57)【要約】      （修正有）【課題】建物の新築時、ボックスが設置された状態から、電気工事または左官作業を実行することにあたって、セメントがボックスの内部に流入することを防止することにより、スイッチ、コンセントなどの設置を容易にする埋め込み設置用ボックスのキャップを提供する。【解決手段】建物の壁面に埋め込み設置されるボックス１の内部に、建物の新築時、左官工事の途中に、セメントが流入することを防止するためのボックス１のキャップ１０に関するものである。その構成は、建物の壁面に埋め込み設置されるボックス１の内部空間に挟まれる挿入ブロック３０と、挿入ブロック３０に連結されるもので、作業者が手で握って、挿入ブロック３０をボックス１に挟み込んだり、取り出したりすることができようにする抓み部２０とを含むことを特徴とする。【選択図】図１
0003212557.tif 000002
【実用新案登録請求の範囲】
【請求項１】
建物の壁面に埋め込み設置されるボックスの内部空間に挟まれる挿入ブロックと、及び
前記挿入ブロックに連結されるもので、作業者が手で握って、前記挿入ブロックを前記ボックスに挟み込んだり、取り出したりすることができるようにする抓み部とを含み、
前記挿入ブロックは、
前記ボックスの内壁面の全体に密着される大きさと形状を有するウレタン、発泡スチロール、ゴム、ＰＶＣの中から選択された材料からなり、内部に空気が充填され、弾性素材でできて、形態が自由に変化することができるチューブまたは風船の形態で設けられ、ボックスから突出されるように挟まれたり、ボックスの端部と段差がないように挟まれ、
前記抓み部は、前記挿入ブロックと一体型で構成され、前記挿入ブロックと異なる素材からなり、前記ボックスから外部に突出形成されて、ボックスの開口部を覆うことができる、または、裏側に凹んだ２つの溝で設けたり、末部分に結び目が形成されているひも部材からなることを特徴とする埋め込み設置用ボックスのキャップ。
【考案の詳細な説明】
【技術分野】
【０００１】
本考案は、埋め込み設置用ボックスのキャップに関するもので、より詳細には、壁に埋め込み設置されるボックス（スイッチボックス、コンセントボックス、世代分電盤、分電盤、通信端子箱など）の内部に、建物新築時の電気工事または左官作業の途中で、セメントが流入されることを防止するためのボックスのキャップに関するものである。
【背景技術】
【０００２】
通常、建築物の室内壁には、照明をオン、オフするためのスイッチやコンセントなどが設置されるボックスが備えられ、他にも世代分電盤、分電盤、通信端子箱なども、ボックスの形態で建築物の室内壁に埋め込み形成される。以下、スイッチボックス、コンセントボックス、世代分電盤、分電盤、通信端子箱などは、ボックスに統一することにする。
【０００３】
一方、コンクリートまたはれんがでできた建物の施工時の室内壁面は、通常左官工事にて仕上げされるが、言及したように、スイッチボックス、コンセントボックス、世代分電盤、分電盤、通信端子箱などのボックスが、室内壁面に埋め込められるように、左官工事が行われたとき、それぞれのボックスは、あらかじめ壁面に固定されるようになる。左官工事を介してボックスは完全に固定されることができ、それぞれのボックスには、スイッチ、コンセントなどがねじで結合され、壁面はペイントまたは壁紙で仕上げられる。
【０００４】
ボックスを固定した状態で左官作業を実行する場合、セメント（またはモルタル）がボックスの内部に引き込まれる場合が頻繁に発生され、ひどい場合、ボックスが全部隠されるようになるため、後でボックスを見つけるには相当の困難があり、セメントがボックスの中で硬化されると、これを除去するのが容易ではないため、失敗することがある。だからといって、ボックスを意識しながら、慎重に作業するのは、作業能率を大きく低下させるため、その程度の問題は甘受するしかない問題だった。
【０００５】
したがって、従来は、ボックスを新聞紙や作業用軍手またはガムテープなどをひとかたまりにしてボックスの中にまるめ込むことで、ボックスの内部を保護してきたが、多くのボックスをいちいちふさぐことが、煩わしくて、完全にふさげない場合も生じ、ふさぐのに適当な素材を見つけられず、多くの時間を無駄にしていた。
【先行技術文献】
【特許文献】
【０００６】
【特許文献１】韓国登録実用新案第２０−２００９−００１０７５５号公報
【特許文献２】韓国特許第１０−２００６−００５５９８１号公報
【考案の概要】
【考案が解決しようとする課題】
【０００７】
前記のような問題に対する本考案の目的は、建物の新築時、ボックスが設置された状態から、電気工事または左官作業を実行することにあたって、セメントがボックスの内部に流入することを防止することにより、スイッチ、コンセントなどの設置を容易にすることにある。即ち、ボックスをセメント（またはモルタル）から保護して、電気工事または左官作業を迅速に実行することができるようにするボックスの保護手段を提供することを具体的な目的とする。
【課題を解決するための手段】
【０００８】
前記のような目的は、建物の壁面に埋め込み設置されるボックスの内部空間に挟まれる挿入ブロックと、及び前記挿入ブロックに連結されるもので、作業者が手で握って、前記挿入ブロックを前記ボックスに挟み込んだり、取り出したりすることができるようにする抓み部とを含みことを特徴とする埋め込み設置用ボックスのキャップによって達成される。
【０００９】
本考案の特徴によると、前記挿入ブロックは、前記ボックスの内壁面の全体に密着される大きさと形状を有するウレタン、発泡スチロール、ゴム、ＰＶＣの中から選択された材料からなり、前記抓み部は前記挿入ブロックと一体型で構成されるが、前記ボックスから外部に突出形成され、ボックスの開口部をキャップのように覆うことができる構成であることができる。
【００１０】
本考案のもう一つの特徴によると、前記挿入ブロックは、前記ボックスの内面全体に密着される大きさと形状を有するウレタン、発泡スチロール、ゴム、ＰＶＣの中から選択された材料からなり、前記抓み部は前記挿入ブロックに設置されるもので、末部分に結び目が形成されているひも部材であることができる。
【００１１】
本考案のもう一つの特徴によると、前記挿入ブロックは、内部に空気が充填され、弾性素材でできており、形状が自由に変化することができるチューブまたは風船の形態であることができる。
【考案の効果】
【００１２】
前記のような構成によると、ボックスを設置した状態で、電気工事または左官作業時、セメント（乃至モルタル）がボックスの内部に流入されて、硬化されることがなくなる。本考案によると、ボックスを簡単に塞ぐことができ、または簡単に開封することができることにより、電気工事または左官工事の際、工期短縮、不快感の解消、人件費の削減などの効果があり、作業をより効率的に実行することができる。
【図面の簡単な説明】
【００１３】
【図１】本考案の実施例に係る埋め込み設置用ボックスのキャップの斜視図である。
【図２】本考案の実施例に係る埋め込み設置用ボックスのキャップの使用状態の側面図である。
【図３】本考案の他の実施例に係る埋め込み設置用ボックスのキャップの斜視図である。
【図４】本考案の他の実施例に係る埋め込み設置用ボックスのキャップの斜視図である。
【図５】本考案のまた他の実施例に係る埋め込み設置用ボックスのキャップの斜視図である。
【図６】本考案の実施例に係る埋め込み設置用ボックスのキャップの使用状態の側断面図である。
【考案を実施するための形態】
【００１４】
以下、明細書に添付された図面を参照して、本考案の実施例を詳細に説明する。まず、図１乃至図２を参照して本考案の一実施例を説明し、必要なところで、他の図面を引用しながら説明する。
【００１５】
本考案の埋め込み設置用ボックスのキャップ１０は、建物の壁面５に埋め込み設置されるボックス１（図６を参照）の内部空間に挟まれる挿入ブロック３０と、挿入ブロック３０に直接的に、または間接的に連結されるもので、作業者が手に握って挿入ブロック３０をボックス１に挟み込んだり、取り出したりすることができるようにする抓み部２０とを含む。
【００１６】
挿入ブロック３０は、ボックス１の内部に密着して挟まれることで、摩擦力によって挟まれた状態を維持することができ、ボックス１の内部に通じる隙間がないように緊密に挟まれる。このため、挿入ブロック３０は、ボックス１の形状に合うように形成される。ボックス１にカバー締結板２が設けられている場合、前記カバー締結板２が挟まれる回避溝３１が設けられなければならない。当然、ボックス１の基本的な形にも適合しなければならない。したがって、挿入ブロック３０は、その大きさや形態が多様であることができる。例えば、その平面形態が正方形、長方形または八角形（図４を参照）であることができる。その高さＤもボックス１の深さに応じて決定されることができる。
【００１７】
本考案の実施例によると、挿入ブロック３０は、ボックス１の内面の全体に密着される大きさと形状を有するウレタン、発泡スチロール、ゴム、またはＰＶＣなどの材料からなることができる。挿入ブロック３０は、ボックス１から若干突出されるように挟まれることもあり、ボックスの端部と段差がないように挟まれることもある。これは挿入ブロック３０が所在するかどうかに応じて決定されることができ、左官作業の利便性を考慮して決定されることもできる。
【００１８】
図１に示されたことによると、抓み部２０がボックス１の開口部をキャップのように覆うように形成されている。即ち、抓み部２０の平面積は、ボックス１の平面積よりも広くなって、ボックス１を完全に遮るようになっている。
【００１９】
抓み部２０のハンドル２３は、図３に示されたように、突出した形になることもできるが、左官作業時、折れることを防止するために、図１乃至図２に示したように、裏側にへこんで２つの溝２１、２２が用意される形態からなることができる。
【００２０】
抓み部のハンドル２３は、さまざまな方法で用意されることができる。挿入ブロック３０と異なる素材が利用されることもできる。例えば、挿入ブロック３０は、ボックス１の内面全体に密着される大きさと形状を有するウレタン、発泡スチロール、ゴム、またはＰＶＣなどの材料からなり、ハンドル２３は、図４に示されたように、挿入ブロックに設置されるひも部材からなることができる。図４は、平らなひも部材からなっているが、ロープまたはひものような線の形態からなることができる。後者の場合、ハンドル２３は、末部分に結び目を形成して、手で引き易くすることができる。
【００２１】
本考案のまた他の実施例によると、図５に示すように、挿入ブロック３０、３０’と抓み部２０とは相互に異なる材料からなり、これらを相互に分離可能にすることもできる。たとえ、抓み部２０は、木材または合成樹脂材からなり、釘２４のような固定手段を抓み部に設置する。そして、発泡スチロールで形成された挿入ブロック３０、３０’を抓み部２０に結合させる。挿入ブロックの結合面３０ａ、３０’ａに釘２４が掘り込みながら、抓み部２０と挿入ブロック３０、３０’が結合される。この場合、ボックス１の形態に合う挿入ブロック３０、３０’を選択して、抓み部２０に結合させた後、使用するものである。即ち、抓み部２０は、汎用的に使用し、挿入ブロック３０、３０’のみを交換して使用するようにするものである。
【００２２】
本考案のまた他の実施例によると、挿入ブロックは、内部に空気が充填され、弾性素材からなって、形態が自由に変化されることができるゴムボール、チューブまたは風船の形態になっていることができる。チューブまたは風船である関係で、手に持って挟んだり、取り外したりすることを容易にすることができる。したがって、本実施例の場合には、抓み部と挿入ブロックが一体に構成されているようになる。本実施例の挿入ブロックは、ボックスの内部に突出した金属の角によって、容易に破裂されない程度の厚さで提供されるべきである。
【００２３】
以上で説明したものは、本考案の技術的思想に基づくいくつかの例示に過ぎない。当業者は、実用新案登録請求の範囲を通して表現される本考案の技術的思想の範囲を超えない線で、例示されたものを活用して、様々な変形を実施することができる。例えば、前記説明したすべての実施例は、当業者によって自由に組み合わせて、実施されることができ、どのような組み合わせでも本考案の権利範囲に含まれると解釈されるべきである。
【符号の説明】
【００２４】
１  ボックス
２  カバー締結板
１０  （埋め込み設置用ボックスの）キャップ
２０  抓み部
２３  ハンドル
３０、３０’  挿入ブロック
【図１】
0003212557.tif 000003
【図２】
0003212557.tif 000004
【図３】
0003212557.tif 000005
【図４】
0003212557.tif 000006
【図５】
0003212557.tif 000007
【図６】
0003212557.tif 000008